(57)【要約】【課題】  視程障害の場合に、目標や逆に発射してはいけない方向や範囲が視認できる競技場用発光標の提供。【解決手段】  球や矢などの目的物を目標にめがけて発射する屋外のゴルフ場やアーチェリー競技場等の競技施設に設置され、同目標や障害物などの存在を知らせるための光源２１を備えた発光部２を有してなる競技場用発光標１において、発光部２は、前記目的物を発射させる時の前記目標や前記障害物、およびその周辺に配置され、視程障害時に発射する位置からでも視認できる光学性能を有して成るものである。【選択図】図１
2006141582.tif 000002
【特許請求の範囲】
【請求項１】
球や矢などの目的物を目標にめがけて発射する屋外のゴルフ場やアーチェリー競技場等の競技施設に設置され、同目標や障害物などの存在を知らせるための光源を備えた発光部を有してなる競技場用発光標において、
前記発光部は、前記目的物を発射させる時の前記目標や前記障害物、およびその周辺に配置され、視程障害時に発射する位置からでも視認できる光学性能を有して成る競技場用発光標。
【請求項２】
前記発光部は、目的物を発射する位置、およびその周囲から最も視認しやすくなるような指光性を有して成る請求項１記載の競技場用発光標。
【請求項３】
前記発光部は、視程を計測する視程計測部を設け、同視程計測部からの情報に基づいて発光部出力を変化させて成る請求項１の競技場用発光標。
【請求項４】
タイマーを有し、前記発光部はタイマーからの信号に基づき点滅させて成る請求項１の競技場用発光標。
【請求項５】
前記発光部は、前記目標や前記障害物、およびその周囲において、情報に合わせて異なる色光、または点滅パターンを有して成る請求項１の競技場用発光標。
【発明の詳細な説明】
【技術分野】
【０００１】
本発明は、球や矢などの目的物を目標めがけて発射する屋外のゴルフ場やアーチェリー競技場等の競技施設に設置され、目標や障害物などの存在を知らせるための競技場用発光標に関するものである。
【背景技術】
【０００２】
従来から、目標や障害物などの存在を知らせるための装置として、特開２００２−２０１６１８号公報に記載されているものがある。この装置は、夜間、昼夜判別センサ１１２からの検出信号を入力する昼夜判別部１１３が、夜を示す信号を点滅制御部１１４に出力すると、点滅制御部１１４は、点滅動作を開始し、霧の発生がない場合、視線誘導標１０１の赤色系発光ダイオード１０５を点滅・点灯駆動する。夜間或は昼間に、霧検出器１３０から霧の発生を示す信号が出力されると、発光色切り替え部１１５は青色系発光ダイオード１０４を点滅動作させ、視線誘導標の前面表示部から青色系の光を道路に向けて放射させ、道路を走行する運転者の視線誘導を行なうものである。
【０００３】
また、別の装置として、特開２００３−１１９７２９号公報の記載されているものがある。この装置は、車両Ｃが通行する道路Ｒの近傍に設置された比較的高い位置の発光装置３０ａと地表近くの発光装置３０ｂを、気象検知センサ２０１に設けられた気象センサ２１１及び明るさセンサ２１３により発光を調整する自発光式視線誘導装置において、気象センサ２１１が霧を検知したときに、地表近くの発光装置２３０ｂを発光させることで、霧の薄い地表面付近を光線が通過し、比較的高い位置の発光装置２３０ａの輝度を高める場合よりも運転者に視認されやすくなる。濃霧発生時のように視界不良の悪天候時においても、確実に視線誘導を行なうことができるものである。
【０００４】
ところで、ゴルフ場やアーチェリー「競技場などの競技施設では、目的物である球や矢などを発射させる時の目標が芝や的といった非発光物であるであるため、霧や雨などの視程不良時には視認できない問題があった。そこで、競技空間全体を照明するなどして、視程を確保することが考えられるが、競技空間全体を照明するための照明施設設置費や電気代などが膨大になり、施設経営上効率的ではない。一方、ゴルフやアーチェリーなどの競技は、目的物を目標に近づけることが競技の主旨であり、その途中の空間の全てが視認できる必要はない。また、照射する目的物は発射する人の近傍にあるため、目的物の視認性は十分確保できている。視程障害の発生時、とりわけ霧の発生時における視認性に優れるものである。
【特許文献１】特開２００２−２０１６１８号公報
【特許文献２】特開２００３−１１９７２９号公報
【発明の開示】
【発明が解決しようとする課題】
【０００５】
本願発明は、上記背景技術に鑑みて発明されたものであり、その課題は、視程障害の場合に、目標や逆に発射してはいけない方向や範囲が視認できる競技場用発光標を提供することである。
【課題を解決するための手段】
【０００６】
上記課題を解決するために、本願発明は、球や矢などの目的物を目標にめがけて発射する屋外のゴルフ場やアーチェリー競技場等の競技施設に設置され、目標や障害物などの存在を知らせるための光源を備えた発光部を有してなる競技場用発光標において、前記発光部は、前記目的物を発射させる時の前記目標や前記障害物、およびその周辺に配置され、視程障害時に発射する位置からでも視認できる光学性能を有して成るものである。
【０００７】
また、前記発光部は、前記目的物を発射させる時の前記目標や前記障害物、およびその周辺に配置され、視程障害時に発射する位置からでも視認できる光学性能を有して成るものが好ましい。
【０００８】
また、前記発光部は、視程を計測する視程計測部を設け、同視程計測部からの情報に基づいて発光部出力を変化させて成るものが好ましい。
【０００９】
また、タイマーを有し、前記発光部はタイマーからの信号に基づき点滅させて成るものが好ましい。
【００１０】
また、前記発光部は、前記目標や前記障害物、およびその周囲において、情報に合わせて異なる色光、または点滅パターンを有して成るものが好ましい。
【発明の効果】
【００１１】
本願発明の競技場用発光標によれば、視程障害の場合に、目標や逆に発射してはいけない方向や範囲が視認できないという課題を解決するために、発光標を設置することで目標や逆に発射してはいけない方向や範囲を視認することができる。
【００１２】
また、発光標の発光部がある特定の方向から最も視認しやすいような指向性を持つことで、目的物を発射する方向以外に無駄に光が出ないため、他の位置にいる競技者の視環境を損ねることがない。また、目的物を発射する位置に効率よく光を照射しているため、電気代を縮減することができる。
【００１３】
また、発光部の光出力（光度）を競技場に設置されている視程計の出力をもとに調光できるようにすることで、様々な視程の状態においても視認でき、かつまぶしくない最適な光度で発光標を発光させることができるため、よりも快適に協議を推進することができる。また、霧が晴れた場合など視程障害が解消した時に、自動的に消灯することができるため、消灯作業が不要になる。
【００１４】
また、発光標にタイマー機能を有することで、手動で動作することなく、安価にほぼ霧の発生に合わせて発光標を点灯、消灯することが可能になる。
【００１５】
また、発光標の光色が複数存在し、それぞれが目的別に色分けして競技場に設置させることで、競技場の情報をより多く一度に入手することができ、競技がより円滑に推進することができる。
【００１６】
また、サイドキャビネット等が置けない間口でも収納量を増やすことができる。
【発明を実施するための最良の形態】
【００１７】
本願の第１の実施形態の競技場用発光標１を図１に基づいて説明する。図１は第１の実施形態に係る競技場用発光標１の斜視図である。
【００１８】
球や矢などの目的物を目標めがけて発射する屋外のゴルフ場やアーチェリー競技場等の競技施設に設置され、目標や障害物などの存在を知らせるための光源２１を備えた発光部２を有してなる競技場用発光標１において、発光部２は、前記目的物を発射させる時の前記目標や前記障害物、およびその周辺に配置され、視程障害時に発射する位置からでも視認できる光学性能を有して成るものである。
【００１９】
この競技場用発光標１は、図１に示すように、光源２１を備えた発光部２と、発光部２を支える支柱３と、を備えている。
【００２０】
発光部２は、例えば、ＬＥＤなどの高輝度発光が可能な光源を有している。
【００２１】
支柱３の内部には、光源２１に電力を供給するための電源部４を設けている。電源部４は、例えば、外部より電線等により電力が供給されている。
【００２２】
なお、電源部４の格納場所は特に規定されない。
【００２３】
このように構成された競技場用発光標１は、競技場において目的物を発射してはいけない方向、例えば、ゴルフ場の場合はＯＢゾーンなどに配置され、視程障害時に発射する位置から視認できるような発光部を有している。
【００２４】
従って、発光部２が高輝度で発光し、視程障害時においても、目的物を発射する人が目的物を発射する方向を視認しやすくなる。
【００２５】
本願の第２の実施形態の競技場用発光標１を図２に基づいて説明する。図２は第２の実施形態に係る競技場用発光標１の斜視図である。
【００２６】
この競技場用発光標１は、発光部２に１ケ所に配置した光源２１の光を広い範囲に照射することが可能な反射板２２を有している。
【００２７】
このように構成された競技場用発光標１は、前述した第１の実施形態と比べ、光源数が少ないため省コストで製造することが可能になり、また、電気代も縮減することが可能になる。
【００２８】
本願の第３の実施形態の競技場用発光標１を図３に基づいて説明する。図３は第３の実施形態に係る競技場用発光標１の斜視図である。
【００２９】
この競技場用発光標１は、光や風を受けることで電力を発生する発電ユニット（例えば、風力発電ユニット４２、太陽光発電パネル４３）と、バッテリー４１と、を備えている。
【００３０】
このように構成された競技場用発光標１は、電源供給部との配線が不要になるため、設置工事が非常に容易に行うことができ、また電気代も不要にすることができる。
【００３１】
なお、風力発電ユニット４２、太陽光発電パネル４３は、競技場用発光標の近傍に配置してもよい、どこに配置するかは適宜決めればよい。
【００３２】
本願の第４の実施形態の競技場用発光標１を図４に基づいて説明する。図４は第４の実施形態に係る競技場用発光標１の斜視図である。
【００３３】
発光部２は、目的物を発射する位置、およびその周囲から最も視認しやすくなるような指光性を有して成るものである。この競技場用発光標１は、前述した第１の実施形態とは発光部２の機能を変更したものであり、それ以外の構成要素は第１の実施形態と同様であるので説明は省略する。
【００３４】
発光部２の光源２１は、例えば、ＬＥＤである。なお、指向性の強いＬＥＤを使えばよい。
【００３５】
このように構成された競技場用発光標１は、光源２１自身が指向性を有する。
【００３６】
本願の第５の実施形態の競技場用発光標１を図５に基づいて説明する。図５（ａ）は第５の実施形態に係る競技場用発光標１の斜視図、（ｂ）は同上のＸ−Ｘ‘の断面図である。
【００３７】
発光部２は、光源２１と反射板２２とプリズムパネル２３と備えている。これらを使用することで指光性を持たせることができる。
【００３８】
このように構成された競技場用発光標１は、必要な方向以外に無駄に光が出ないため、他の位置にいる競技者の視環境を低下させることがない。また、目的物を発射する位置に効率よく光を照射しているため、電気代を縮減することができる。
【００３９】
本願の第６の実施形態の競技場用発光標１を以下に基づいて説明する。図６（ａ）は第６の実施形態に係る競技場用発光標１の斜視図、（ｂ）は視程計の斜視、図７は発光部２の発光光度と視程の関係を示すグラフである。
【００４０】
発光部２は、視程を計測する視程計測部（図示せず）を設け、同視程計測部からの情報に基づいて発光部２の出力を変化させて成るものである。
【００４１】
この競技場用発光標１は、前述した第１の実施形態で記載のした発光部の光出力（光度）を競技場に設置されている視程計の出力をもとに調光できるようにしている。
【００４２】
前記視程計は競技場の代表的な場所に最低１台設置されているとする。同視程計からの情報は、無線によって各発光標に伝達される。また、発光部２は伝達された視程データをもとに、図７に示すような各視程状態に要求される発光部２の発光光度の関係に従って調光される。
【００４３】
なお、視程と発光光度の関係は、実際の霧が発生している環境において発光体の視認性を評価した実験データをもとにしている。
【００４４】
このように構成された競技場用発光標１は、様々な視程の状態においても視認でき、かつまぶしくない最適な光度で発光標を発光させることができる。
【００４５】
従って、快適に競技を推進することができる。
【００４６】
更に、霧が晴れた場合など視程障害が解消した時に、自動的に消灯することが可能にため、消灯作業が不要になる。
【００４７】
本願の第７の実施形態の競技場用発光標１を以下に基づいて説明する。この競技場用発光標１は、タイマー（図示せず）を有し、前記発光部はタイマーからの信号に基づき点滅させて成るものである。この競技場用発光標１は、前述した第１の実施形態とはタイマー機能を付加したものであり、それ以外の構成要素は第１の実施形態と同様であるので説明は省略する。
【００４８】
前記タイマーは、点灯開始時間と消灯時間を設定する機能を有している。発光部２は、同タイマーの点灯開始時間や消灯時間に合わせて点灯、消灯する機能を有している。一般的に各地域での霧発生時間は決まっていることが多い。従って、こうすることで、手動で動作することなく、視程計などを導入することなく安価にほぼ霧の発生に合わせて発光標を点灯、消灯することが可能になる。
【００４９】
本願の第８の実施形態の競技場用発光標１を以下に基づいて説明する。この競技場用発光標１は、発光部２が目標や障害物、およびその周囲において、情報に合わせて異なる色光、または点滅パターンを有して成るものである。
【００５０】
この競技場用発光標１は、発光部２の光色が複数存在し、それぞれが目的別に色分けして競技場に設置されている。
【００５１】
このように構成された競技場用発光標１は、例えば、ゴルフ場において、ＯＢゾーンは橙色、バンカーや池などは赤色、グリーンは緑色のように規則を決めて設置する。このようにすることで、競技場の情報をより多く一度に入手することがでる。
【００５２】
従って、競技がより円滑に推進することができる。
【図面の簡単な説明】
【００５３】
【図１】第１の実施形態に係る競技場用発光標の概略斜視図である。
【図２】第２の実施形態に係る競技場用発光標の概略斜視図である。
【図３】第３の実施形態に係る競技場用発光標の概略斜視図である。
【図４】第４の実施形態に係る競技場用発光標の概略斜視図である。
【図５】（ａ）は第５の実施形態に係る競技場用発光標の概略斜視図、（ｂ）は同上のＸ−Ｘ’の断面図である。
【図６】（ａ）は第６の実施形態に係る競技場用発光標の概略斜視図、（ｂ）は視程計の斜視図である。
【図７】第６の実施形態に係る競技場用発光標の発光部の発光光度と視程の関係を示すグラフである。
【図８】特開２００２−２０１６１８号公報に記載の視線誘導装置のブロック図である。
【図９】特開２００３−１１９７２９号公報に記載の自発光式視線誘導装置の発光方法の側面図である。
【符号の説明】
【００５４】
１      競技場用発光標
２      発光部
２１    光源
【図１】
2006141582.tif 000003
【図２】
2006141582.tif 000004
【図３】
2006141582.tif 000005
【図４】
2006141582.tif 000006
【図５】
2006141582.tif 000007
【図６】
2006141582.tif 000008
【図７】
2006141582.tif 000009
【図８】
2006141582.tif 000010
【図９】
2006141582.tif 000011